(57)【特許請求の範囲】
【請求項１】
映像信号が入力される映像信号入力部と、
前記映像信号が液晶パネルのどの画素に対応するか判定するカウンタ部と、
前記映像信号入力部に入力された前記映像信号のデータビット幅を拡張するデータビット幅拡張部と、
前記液晶パネルの表示面内におけるコモン電位の分布に関する第１の補正パラメータが記憶された補正パラメータ記憶部と、
各画素に対して、１フレーム周期における当該画素のソース電位の正極性期間の長さおよび負極性期間の長さをカウントし、当該画素に対応する前記映像信号と、前記正極性期間の長さおよび前記負極性期間の長さに基づいて、当該画素からの電荷の抜けに関する第２の補正パラメータを算出する映像信号監視部と、
前記映像信号に基づいて当該映像信号の１フレーム周期を検出するタイミング監視部と、
前記映像信号の対応する画素に対応する前記第１および第２の補正パラメータと、当該画素に対応する極性信号の極性の正負と、前記１フレーム周期とに基づいて、前記映像信号に対して補正係数を算出する補正係数算出部と、
前記補正係数に基づいて、データビット幅が拡張された前記映像信号を補正する映像信号補正部と、
補正後の前記映像信号に対してディザリング処理を施すとともに当該映像信号を元のデータビット幅に戻す処理を行うディザリング処理部と、
ディザリング処理部から出力された映像信号に基づいて前記液晶パネルを駆動する駆動部と、
を備える、
液晶パネルの駆動制御装置。
【請求項２】
請求項１に記載の液晶パネルの駆動制御装置と、
前記液晶パネルの駆動制御装置により駆動される液晶パネルと、
を備える、
液晶表示装置。
【発明の詳細な説明】
【技術分野】
【０００１】
本発明は液晶パネルの駆動制御装置および液晶表示装置に関する。
【背景技術】
【０００２】
一般に、液晶表示装置では、画素に印加する電圧の極性を周期的に入れ替えることでヤキツキを抑制している。極性反転の論理は時間的なものと空間的なものがある。これらを組み合わせた極性反転方式としてドット反転駆動方式、カラム反転駆動方式等が知られている（例えば特許文献１を参照）。
【０００３】
極性反転方式の中で表示品位の優れている駆動方法はドット反転駆動だが、頻繁に正負の極性を入れ替えて画素に電圧を印加するため、消費電力が高くなってしまう。そのため、低消費電力化を目指すのであればカラム反転駆動のように極性反転の周期を長くすることが要求される。
【先行技術文献】
【特許文献】
【０００４】
【特許文献１】特開２０１４−１３０３４０号公報
【発明の概要】
【発明が解決しようとする課題】
【０００５】
しかしながら、カラム反転駆動において、コモン電位が正負書き込み電位の中心からずれた場合、正負書き込み電圧の差異によるフリッカが視認されやすくなってしまうという問題があった。
【０００６】
例えば、カラム反転駆動においては縦一列に同極性が並ぶため、輝度差により縦スジとして視認されてしまう。また、表示面内でコモン電位にムラがある場合、面内で縦スジの見える場所と見えない場所が発生してしまうため、対策が必要である。
【０００７】
本発明は以上のような課題を解決するためになされたものであり、コモン電位のずれに起因する表示画面の表示むらを抑制した液晶パネルの駆動制御装置および液晶表示装置の提供を目的とする。
【課題を解決するための手段】
【０００８】
本発明に係る液晶パネルの駆動制御装置は、映像信号が入力される映像信号入力部と、映像信号が液晶パネルのどの画素に対応するか判定するカウンタ部と、映像信号入力部に入力された映像信号のデータビット幅を拡張するデータビット幅拡張部と、液晶パネルの表示面内におけるコモン電位の分布に関する第１の補正パラメータが記憶された補正パラメータ記憶部と、各画素に対して、１フレーム周期における当該画素のソース電位の正極性期間の長さおよび負極性期間の長さをカウントし、当該画素に対応する映像信号と、正極性期間の長さおよび負極性期間の長さに基づいて、当該画素からの電荷の抜けに関する第２の補正パラメータを算出する映像信号監視部と、映像信号に基づいて当該映像信号の１フレーム周期を検出するタイミング監視部と、映像信号の対応する画素に対応する第１および第２の補正パラメータと、画素に対応する極性信号の極性の正負と、１フレーム周期とに基づいて、映像信号に対して補正係数を算出する補正係数算出部と、補正係数に基づいて、データビット幅が拡張された映像信号を補正する映像信号補正部と、補正後の映像信号に対してディザリング処理を施すとともに映像信号を元のデータビット幅に戻す処理を行うディザリング処理部と、ディザリング処理部から出力された映像信号に基づいて液晶パネルを駆動する駆動部と、を備える。
【発明の効果】
【０００９】
本発明においては、液晶パネルの表示面内を複数の領域に区切り、各領域に対してコモン電位の分布に関する第１の補正パラメータを予め設定しておく。第１の補正パラメータに基づいて補正係数を算出して映像信号を補正することにより、表示面内でのコモン電位のばらつきを補正することができる。これにより、液晶パネルの製造時の特性のばらつき等に起因する映像の表示ムラを改善することができる。さらに、本発明では、映像信号のデータビット幅を拡張してから映像信号のデータ補正を行うことで、細かい補正処理を容易に行うことができる。また、補正を行った後に映像信号に対して最適なディザリング処理を施すことにより表示のちらつきやムラを軽減することができる。
【図面の簡単な説明】
【００１０】
【図１】実施の形態１に係る液晶表示装置の機能ブロック図である。
【図２】実施の形態１に係る液晶表示装置のハードウェア構成を示す図である。
【図３】実施の形態１に係る液晶表示装置における基準電位のずれを示す図である。
【図４】実施の形態１に係る液晶表示装置において基準電位のずれが無い場合の表示画面を示す図である。
【図５】実施の形態１に係る液晶表示装置において基準電位のずれがある場合の表示画面を示す図である。
【図６】実施の形態１に係る液晶表示装置における表示パネルの表示面における第１の補正パラメータの領域分けの一例を示す図である。
【図７】実施の形態１に係る液晶表示装置における表示パネルの表示面における第１の補正パラメータの領域分けの別の例を示す図である。
【図８】実施の形態１に係る液晶パネルの駆動制御装置の動作を示すフローチャートである。
【図９】実施の形態１に係る液晶表示装置の補正された映像信号の表示例を示す図である。
【図１０】実施の形態１に係る液晶表示装置の補正された映像信号の別の表示例を示す図である。
【図１１】実施の形態２に係る液晶表示装置の機能ブロック図である。
【図１２】実施の形態２に係る液晶パネルの１ライン目と最終ラインの画素における電荷抜けの比較を示す図である。
【図１３】実施の形態２に係る液晶表示装置のラインごとの電荷の書き込みタイミングを示すシーケンス図である。
【図１４】実施の形態３に係る液晶表示装置の機能ブロック図である。
【発明を実施するための形態】
【００１１】
＜実施の形態１＞
＜構成＞
図１は、本実施の形態１における液晶表示装置の機能ブロック図である。図１に示すように、液晶表示装置は、液晶パネルの駆動制御装置１００および液晶パネル１１を備える。液晶パネル１１は液晶パネルの駆動制御装置１００により駆動される。本実施の形態１において、液晶パネル１１はカラム反転駆動方式で駆動されるとする。
【００１２】
液晶パネル駆動制御装置１００は、駆動部１２、ディザリング処理部１３、映像信号補正部１４、データ幅拡張部１５、補正係数算出部１６、映像信号入力部１７、補正パラメータ記憶部１８、カウンタ部１９を備える。
【００１３】
映像信号入力部１７には映像信号が入力される。カウンタ部１９は、映像信号が液晶パネル１１のどの画素に対応するか判定する。データビット幅拡張部１５は、映像信号入力部１７に入力された映像信号のデータビット幅を拡張する。補正パラメータ記憶部１８には後述する第１の補正パラメータが予め記憶されている。
【００１４】
補正係数算出部１６は、映像信号の対応する画素に対応する第１の補正パラメータと、この画素に対応する極性信号の正負に基づいて、映像信号に対して補正係数を算出する。映像信号補正部１４は、補正係数に基づいて、データビット幅が拡張された映像信号を補正する。
【００１５】
ディザリング処理部１３は、補正後の前記映像信号に対してディザリング処理を施すとともに、映像信号を元のデータビット幅に戻す処理を行う。駆動部１２は、ディザリング処理部１３から出力された映像信号に基づいて液晶パネル１１を駆動する。
【００１６】
図２は、本実施の形態１における液晶表示装置のハードウェア構成図である。図２に示すように、液晶パネルの駆動制御装置１００は、入力インターフェース３５、タイミングコントローラＩＣ３３、記憶装置３４、液晶駆動用ドライバＩＣ３１およびメモリ３２を備える。また、上記各構成要素はバス３６で相互に接続されている。タイミングコントローラＩＣ３３は単体のＩＣでもよいし、液晶駆動用ドライバＩＣ３１に内蔵されるものでもよい。
【００１７】
カウンタ部１９、データビット幅拡張部１５、補正係数算出部１６、映像信号補正部１４、ディザリング処理部１３は、タイミングコントローラＩＣ３３により実現される。タイミングコントローラＩＣ３３は、専用のハードウェアであってもよい。また、タイミングコントローラＩＣ３３はメモリ３２に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００１８】
タイミングコントローラＩＣ３３が専用のハードウェアである場合、タイミングコントローラＩＣ３３は、例えば、単一回路、複合回路、プログラム化したプロセッサ、並列プログラム化したプロセッサ、ＡＳＩＣ、ＦＰＧＡ、またはこれらを組み合わせたものが該当する。カウンタ部１９、データビット幅拡張部１５、補正係数算出部１６、映像信号補正部１４、ディザリング処理部１３の各部の機能それぞれを個別に設けた処理回路で実現してもよいし、各部の機能をまとめて１つの処理回路（タイミングコントローラＩＣ３３）で実現してもよい。
【００１９】
タイミングコントローラＩＣ３３がＣＰＵの場合、カウンタ部１９、データビット幅拡張部１５、補正係数算出部１６、映像信号補正部１４、ディザリング処理部１３の各機能は、ソフトウェア、ファームウェア、またはソフトウェアとファームウェアとの組み合わせにより実現される。ソフトウェアやファームウェアはプログラムとして記述され、メモリ３２に格納される。タイミングコントローラＩＣ３３は、メモリ３２に記憶されたプログラムを読み出して実行することにより、各部の機能を実現する。また、これらのプログラムは、カウンタ部１９、データビット幅拡張部１５、補正係数算出部１６、映像信号補正部１４、ディザリング処理部１３の手順や方法をコンピュータに実行させるものであるともいえる。ここで、メモリ３２とは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００２０】
なお、カウンタ部１９、データビット幅拡張部１５、補正係数算出部１６、映像信号補正部１４、ディザリング処理部１３の各機能について、一部を専用のハードウェアで実現し、一部をソフトウェアまたはファームウェアで実現するようにしてもよい。このように、タイミングコントローラＩＣ３３は、ハードウェア、ソフトウェア、ファームウェア、またはこれらの組み合わせによって、上述の各機能を実現することができる。
【００２１】
駆動部１２は、液晶駆動用ドライバＩＣ３１により実現される。液晶駆動用ドライバＩＣ３１は、専用のハードウェアであってもよい。また、液晶駆動用ドライバＩＣ３１はメモリ２２に格納されるプログラムを実行するＣＰＵであってもよい。
【００２２】
液晶駆動用ドライバＩＣ３１が専用のハードウェアである場合、液晶駆動用ドライバＩＣ３１は、例えば、単一回路、複合回路、プログラム化したプロセッサ、並列プログラム化したプロセッサ、ＡＳＩＣ、ＦＰＧＡ、またはこれらを組み合わせたものが該当する。
【００２３】
液晶駆動用ドライバＩＣ３１がＣＰＵの場合、駆動部１２の機能は、ソフトウェア、ファームウェア、またはソフトウェアとファームウェアとの組み合わせにより実現される。ソフトウェアやファームウェアはプログラムとして記述され、メモリ３２に格納される。液晶駆動用ドライバＩＣ２１は、メモリ３２に記憶されたプログラムを読み出して実行することにより、各部の機能を実現する。また、これらのプログラムは、駆動部１２の手順や方法をコンピュータに実行させるものであるともいえる。
【００２４】
なお、駆動部１２の機能について、一部を専用のハードウェアで実現し、一部をソフトウェアまたはファームウェアで実現するようにしてもよい。このように、液晶駆動用ドライバＩC２１は、ハードウェア、ソフトウェア、ファームウェア、またはこれらの組み合わせによって、上述の各機能を実現することができる。
【００２５】
映像信号入力部１７は、入力インターフェース３５によって実現される。補正パラメータ記憶部１８は、記憶装置３４によって実現される。記憶装置３４は例えばＲＯＭである。記憶装置３４は液晶パネルの駆動制御装置１００内部に格納してもよいし、外付け方式にしてもよい。本実施の形態では内部に格納したものを例としている。
【００２６】
＜第１の補正パラメータ＞
図３（ａ）〜（ｃ）は、一般的な液晶表示装置におけるコモン電位のずれを示す図である。図３（ａ）は、コモン電位が正負書き込み電位の中心にある理想的な状態である。図３（ｂ）は、コモン電位が負側にずれている状態である。図３（ｃ）は、コモン電位が正側にずれている状態である。
【００２７】
次に、カラム反転駆動方式で液晶パネルの駆動を行った場合のコモン電位のずれの視認性への影響を説明する。図４は、基準電位のずれが無い場合（図３（ａ）に対応）の連続した２つのフレーム（図４（ａ）がＮフレーム、図４（ｂ）がＮ＋１フレーム）の表示画面を示す図である。図５は、基準電位が負側にずれている場合（図３（ｂ）に対応）の連続した２つのフレーム（図５（ａ）がＮフレーム、図５（ｂ）がＮ＋１フレーム）の表示画面を示す図である。
【００２８】
図４においては、コモン電位が正負書き込み電位の中心にあるため、正負書き込み電圧の大きさは同じであり、正極（図中に「＋」で記載）と負極（図中に「−」で記載）の間で輝度差は生じない。一方、図５においては、コモン電位が負側にずれているため、正側の書き込み電圧の大きさよりも負側の書き込み電位が大きくなる。そのため、正極（図中に「＋」で記載）と負極（図中に「−」で記載）の間で輝度差が生じてしまう。カラム反転駆動においては、図５（ａ），（ｂ）のように縦方向に同極性が並ぶため、輝度差により縦スジとして視認されてしまう。
【００２９】
本実施の形態１では、液晶パネル１１の表示面内を複数の領域に分割して、領域ごとにコモン電位を測定しておく。そして、測定したコモン電位に応じた第１の補正パラメータを予め領域ごとに補正パラメータ記憶部１８へ格納しておく。液晶パネル１１の表示面内の領域分けは、液晶パネル１１のコモン配線の形状等に応じて変更してもよい。
【００３０】
例えばａ−ＳｉＴＦＴを画素駆動トランジスタに用いた液晶パネル１１において、表示面内における調整点をいくつか決めておき、それに対応した領域のコモン電位をあらかじめ測定する。領域ごとに、コモン電位が理想的なコモン電位から正、負のどちら側にずれているか、また、ずれ量がどの程度か（入力映像信号で何階調分ずれているか）を決定して、それに応じた補正用のパラメータ（即ち第１の補正パラメータ）を補正パラメータ記憶部１８に記憶しておく。
【００３１】
図６は、表示パネルの表示面における第１の補正パラメータの領域分けの一例を示す図である。図６では、表示面を３×３の９区画（Ａ〜Ｉ）に分け、それぞれの領域において第１の補正パラメータを設定している。また、図７は、表示パネルの表示面における第１の補正パラメータの領域分けの別の例を示す図である。図７では、表示面を複数の周辺領域（Ａ〜Ｄ）と複数の中央領域（Ｅ〜Ｍ）に分け、それぞれの領域に対して第１の補正パラメータを設定している。
【００３２】
＜映像信号の補正動作＞
図８は、本実施の形態１における液晶パネルの駆動制御装置１００の動作を示すフローチャートである。映像信号が映像信号入力部１７に入力されると、カウンタ部１９は、映像信号から液晶パネル１１の表示面内の座標を算出する（ステップＳ１０１）。そして、算出された座標に対応する第１の補正パラメータが、補正パラメータ記憶部１８から読み出される（ステップＳ１０２）。なお、全ての第１の補正パラメータを予め読み出しておき、ルックアップテーブル方式により座標と対応させてもよい。
【００３３】
補正係数算出部１６は、入力された書き込み極性信号の＋／−論理と映像信号の座標位置に基づいて実際に画素へ書き込まれる電位の極性を判定する（ステップＳ１０３）。そして、補正係数算出部１６は、第１の補正パラメータと極性信号の極性に基づいて映像信号に対する補正係数を算出する（ステップＳ１０４）。本実施の形態１では、例えば、第１の補正パラメータをそのまま補正係数とする。さらに、補正係数の算出において、第１の補正パラメータの最上位のビットデータに極性信号の極性（プラス又はマイナス）が書き込まれる。例えば、極性信号の極性の正、負を１と０にそれぞれ対応させる。そして、最上位のビット以外のデータを補正量として用いる。なお、最上位のビットデータを極性判定に使用するが、例えば最下位のビットデータを用いてもよいし、専用の判別パラメータを設けてもよい。
【００３４】
ステップＳ１０１からＳ１０３と並行して、データビット幅拡張部１５は映像信号のビット幅を拡張する（ステップＳ１０５）。例えば、映像信号の元のビット幅が８ビットの場合、データビット幅拡張部１５は映像信号を１４ビットに拡張する。なお、拡張幅は１４ビットに限定されない。
【００３５】
次に、映像信号補正部１４は、データビット幅が拡張された映像信号を補正係数に基づいて補正する（ステップＳ１０６）。映像信号の補正は、映像信号に対して補正係数を直接乗算する。又は、別に用意した補正基準値に対して補正係数を乗算したものを映像信号に加算または減算してもよい。また、これらの計算方法を組み合わせて補正を行ってもよい。データビット数を拡張してから映像信号の補正を行うことで、精度のよい補正が期待できる。
【００３６】
次に、ディザリング処理部１３は、補正された映像信号に対してディザリング処理およびデータビット幅の縮小を行う（ステップＳ１０７）。ディザリング処理は時間的ディザリングまたは空間的ディザリングを行う。また、その両方を用いてもよい。データビット幅の縮小は、拡張されたデータビット幅（例えば１４ビット）を、後段のドライバＩＣ（駆動部１２）の規格に適合したデータビット幅（例えば８ビット）に変換する処理である。補正後の映像信号に対してディザリング処理によるデータビット幅の落とし込みを行うことで、データ潰れ等を回避している。
【００３７】
そして、駆動部１２は、ディザリング処理部１３から出力された映像信号に基づいて対象の画素を駆動する（ステップＳ１０８）。
【００３８】
以下で具体的な補正例を説明する。例えば、図３（ｃ）に示すようにコモン電位が正側に偏っていた場合、画素に書き込まれる電位は正極性時に低く、負極性時は高くなる。この場合は図９（（図９（ａ）がＮフレーム、図９（ｂ）がＮ＋１フレーム）に示すように、通常の書き込み電位（ｍ階調）よりも低い電位（ｍ−１）階調となるように負極性画素の映像信号に補正を加える。これにより、正極と負極の輝度を近づけることができる。
【００３９】
ただし、図９の様に負極側の階調を下げて補正を行った場合は、表示画面全体の輝度が低くなってしまう可能性がある。これを避けるために、正、負極性の両方を補正して輝度のバランスをとってもよい。図１０に、正極と負極の両方を補正した場合の４つの連続したフレームの表示画面を示す（図１０（ａ）がＮフレーム、図１０（ｂ）がＮ＋１フレーム、図１０（ｃ）がＮ＋２フレーム、図１０（ｄ）がＮ＋３フレーム）。このように、正、負極性の両方を補正することにより、輝度の低下を抑制しつつ、表示ムラを抑制することができる。
【００４０】
＜効果＞
本実施の形態１における液晶パネルの駆動制御装置１００は、映像信号が入力される映像信号入力部１７と、映像信号が液晶パネル１１のどの画素に対応するか判定するカウンタ部１９と、映像信号入力部１７に入力された映像信号のデータビット幅を拡張するデータビット幅拡張部１５と、液晶パネル１１の表示面内におけるコモン電位の分布に関する第１の補正パラメータが記憶された補正パラメータ記憶部１８と、映像信号の対応する画素に対応する第１の補正パラメータと、画素に対応する極性信号の極性の正負に基づいて、映像信号に対して補正係数を算出する補正係数算出部１６と、補正係数に基づいて、データビット幅が拡張された映像信号を補正する映像信号補正部１４と、補正後の映像信号に対してディザリング処理を施すとともに映像信号を元のデータビット幅に戻す処理を行うディザリング処理部１３と、ディザリング処理部１３から出力された映像信号に基づいて液晶パネルを駆動する駆動部１２と、を備える。
【００４１】
本実施の形態１では、液晶パネル１１の表示面内を複数の領域に区切り、各領域に対してコモン電位の分布に関する第１の補正パラメータを予め設定しておく。第１の補正パラメータに基づいて補正係数を算出して映像信号を補正することにより、表示面内でのコモン電位のばらつきを補正することができる。これにより、液晶パネル１１の製造時の特性のばらつき等に起因する映像の表示ムラを改善することができる。さらに、本実施の形態１では、映像信号のデータビット幅を拡張してから映像信号のデータ補正を行うことで、細かい補正処理を容易に行うことができる。また、補正を行った後に映像信号に対して最適なディザリング処理を施すことにより表示のちらつきやムラを軽減することができる。
【００４２】
上述した表示映像のムラ、ちらつきを低減する効果は、特にカラム反転駆動方式において有効である。そのため、本実施の形態１における液晶パネルの駆動制御装置１００を用いてカラム反転駆動方式で映像信号を液晶パネル１１に表示する場合において、映像の表示品質を向上させることが可能である。
【００４３】
また、本実施の形態１における液晶表示装置は、液晶パネルの駆動制御装置１００と、液晶パネルの駆動制御装置１００により駆動される液晶パネル１１と、を備える。
【００４４】
従って、本実施の形態１における液晶パネルの駆動制御装置１００を液晶パネル１１と組み合わせることにより、液晶パネル１１における表示ムラや表示のちらつきを低減させることが可能である。
【００４５】
＜実施の形態２＞
図１１は、本実施の形態２における液晶表示装置の機能ブロック図である。本実施の形態２における液晶パネルの駆動制御装置２００は、液晶パネルの駆動制御装置１００に対して映像信号監視部２０をさらに備える。その他の構成は実施の形態１と同じため説明を省略する。映像信号監視部２０は、図２におけるタイミングコントローラＩＣ３３の機能として実現される。
【００４６】
映像信号監視部２０は、垂直書き込み方向の書き込みデータをモニタし、適時各画素に対して第２の補正パラメータを算出する。図１２は、１ライン目の画素と最終ラインの画素との電荷抜け量の比較を示す図である。また、図１３は、ラインごとの電荷の書き込みタイミングを示すシーケンス図である。
【００４７】
図１２、１３に示すように、例えば１ライン目の画素であれば１フレーム間で同じ極性が常に書き込まれるため電荷抜け量は小さく、その結果１フレーム間における輝度変化は小さい。一方、最終ライン（図１３では９ライン目）の画素の場合は次のフレームの書き込みがすぐに行われ、次のフレーム間は逆極性が書き込まれ続ける。よって、電荷抜け量が大きくなり、１フレーム間における輝度変化は大きくなる。
【００４８】
画像信号監視部は、Ｎフレームにおいて、各画素における１フレーム期間中の正極性データ値と負極性データ値をそれぞれ内部カウンタに取り込む。そして、正極性カウンタのトータル値から負極性カウンタのトータル値を減算した値を第２の補正パラメータとする。ここで、第２の補正パラメータの算出方法は電荷の抜け量を表現する算出方法であれば、上述した減算する方法に限らない。なお、正極性カウンタと負極性カウンタは、液晶パネル１１の水平方向の解像度の３倍の個数が必要となる。上述した方法により算出された第２の補正パラメータにおいて、第２の補正パラメータが正であれば電荷の抜け量が小さいため映像信号の補正は小さくてよい。一方、第２の補正パラメータが負であれば電荷の抜け量が大きいため映像信号のより大きな補正が必要となる。
【００４９】
本実施の形態２において、Ｎ＋１フレームにおける映像信号を補正する際に、補正係数算出部１６は、第１の補正パラメータと、前のフレーム（Ｎフレーム）において算出した第２の補正パラメータと、Ｎ＋１フレームにおける極性信号の極性とに基づいて補正係数を算出する。例えば、本実施の形態２では、前のフレーム（Ｎフレーム）時に算出した第２の補正パラメータに応じて第１の補正パラメータを修正してから、修正した第１の補正パラメータを用いて、Ｎ＋１フレームにおける補正係数を算出する。第２の補正パラメータが正の場合（即ち、電荷の抜けが小さい場合）は第１の補正パラメータを比較的小さい倍率で増幅して修正する。一方、第２の補正パラメータが負の場合（即ち、電荷の抜けが大きい場合）は第１の補正パラメータを比較的大きい倍率で増幅して修正する。上述したように、本実施の形態２では、映像信号監視部２０が各画素の電荷抜け量を予測する第２の補正パラメータを算出し、補正係数の算出に利用する。
【００５０】
＜効果＞
本実施の形態２における液晶パネルの駆動制御装置２００は、映像信号監視部２０をさらに備え、映像信号監視部２０は、各画素に対して、１フレーム周期における画素のソース電位の正極性期間の長さおよび負極性期間の長さをカウントし、映像信号監視部２０は、正極性期間の長さおよび負極性期間の長さに基づいて、画素からの電荷の抜けに関する第２の補正パラメータを算出し、補正係数算出部１６は、第１、第２の補正パラメータおよび極性信号の正負に基づいて、補正係数を算出する。
【００５１】
従って、本実施の形態２では、前フレームの映像信号に基づいて次のフレームにおける電荷抜け量を予測して第２の補正パラメータを算出し、次のフレームにおける映像信号の補正係数の算出に利用する。これにより、実施の形態１で述べた効果に加えて、各画素の電荷の抜け量を考慮した映像信号の補正が可能となる。これにより、例えばカラム反転駆動を行う際に視認されやすい縦スジの発生を抑制することができる。
【００５２】
＜実施の形態３＞
図１４は、本実施の形態３における液晶表示装置の機能ブロック図である。本実施の形態３における液晶パネルの駆動制御装置３００は、液晶パネルの駆動制御装置２００に対してタイミング監視部２１をさらに備える。その他の構成は実施の形態２と同じため説明を省略する。タイミング監視部２１は、図２におけるタイミングコントローラＩＣ３３の機能として実現される。
【００５３】
タイミング監視部２１は、垂直方向の走査周期（１フレーム周期、１フレーム期間の長さとも記載する）を映像信号のタイミングから検出する。そして、補正係数算出部１６は、第１、第２の補正パラメータ、１フレーム期間の長さ、および極性信号の極性に基づいて補正係数を算出する。一般に、１フレーム期間の長さにより電荷の抜け量が変動する。１フレーム期間が長くなるほど電荷の抜け量は大きくなる傾向がある。従って、本実施の形態３では、例えば、実施の形態２で述べたように補正係数を算出した後、１フレーム期間の長さが大きいほど、大きい倍率で補正係数を増幅して補正係数を修正する。補正係数へ１フレーム期間の長さを反映させる方法はこれに限定されない。
【００５４】
タイミング監視部２１は映像信号とは独立した周波数の固有クロック（任意の周波数）を用いて、映像信号の１水平期間をカウントする。１水平期間のトータル幅は、同期信号の立ち下がりまたは立ち上がりのエッジ検出にて判定する方法を用いる。同時に、タイミング監視部２１は、１垂直期間中のエッジ検出数をカウントし、１フレーム期間中に検出した水平同期信号のエッジカウント数を監視する。その結果、１水平期間のクロックカウント数と１垂直期間中のエッジカウント数から１フレーム周期を算出することが可能となる。
【００５５】
なお、カウントに用いる固有クロックは装置内部に設置した発振回路による自走クロックでもよいし、外部機器から映像信号とは別に入力されるクロックを用いてもよい。さらには、映像信号のクロック周波数情報を別途装置内部にパラメータとして入力したうえで、映像信号のクロックを用いる方法もある。
【００５６】
＜効果＞
本実施の形態３における液晶パネルの駆動制御装置３００は、タイミング監視部２１をさらに備え、タイミング監視部２１は映像信号に基づいて映像信号の１フレーム周期を検出し、補正係数算出部１６は、第１、第２の補正パラメータ、極性信号の正負および１フレーム周期に基づいて、補正係数を算出する。１フレーム周期が長くなるほど画素の電荷抜け量が大きくなる。よって、１フレーム周期の長さを補正係数に反映させることにより、画素の電荷抜け量を抑制して、液晶パネル１１に表示される映像の表示ムラをさらに抑制することが可能である。また、本実施の形態３により映像信号のタイミング（１フレーム周期）が変化した場合であっても、その変化に応じて補正係数を算出することが可能である。
【００５７】
上述の実施形態１から３では、液晶パネル１１の画素駆動トランジスタとしてをａ−ＳｉＴＦＴを用いた例を説明したが、画素駆動トランジスタに酸化物半導体（例えばＩＧＺＯ）を採用してもよい。チャンネル層に酸化物半導体を採用したＴＦＴはＯＦＦ時のソース・ドレイン間のリークが少なく、カラム反転駆動時の表示面内での輝度傾斜も改善される。このため、第１の補正パラメータに関して、液晶パネル１１の表示面を分割する領域の個数をより少なくすることができる。
【００５８】
なお、本発明は、その発明の範囲内において、各実施の形態を自由に組み合わせたり、各実施の形態を適宜、変形、省略することが可能である。
【符号の説明】
【００５９】
１１  液晶パネル、１２  駆動部、１３  ディザリング処理部、１４  映像信号補正部、１５  データビット幅拡張部、１６  補正係数算出部、１７  映像信号入力部、１８  補正パラメータ記憶部、１９  カウンタ部、２０  映像信号監視部、２１  タイミング監視部、３１  液晶駆動用ドライバＩＣ、３２  メモリ、３３  タイミングコントローラＩＣ、３４  記憶装置、３５  入力インターフェース、３６  バス、１００，２００，３００  液晶パネルの駆動制御装置。
【図１】
0006566793.tif 000002
【図２】
0006566793.tif 000003
【図３】
0006566793.tif 000004
【図４】
0006566793.tif 000005
【図５】
0006566793.tif 000006
【図６】
0006566793.tif 000007
【図７】
0006566793.tif 000008
【図８】
0006566793.tif 000009
【図９】
0006566793.tif 000010
【図１０】
0006566793.tif 000011
【図１１】
0006566793.tif 000012
【図１２】
0006566793.tif 000013
【図１３】
0006566793.tif 000014
【図１４】
0006566793.tif 000015